(57)【要約】      （修正有）【課題】本体フレームに変形や撓み等があったとしても支持部材の平面度を出すことができる記録装置を提供する。【解決手段】インクジェットヘッドの印字領域においてメディアを支持する支持部材と、支持部材に対してメディアの搬送方向と直交する幅方向一方側に配置されたメンテナンスユニットと、を有するプリンターであって、支持部材は、本体フレーム１００に支持されており、本体フレーム１００に支持される支持部材の平面度を４点の基準で調整する平面度調整装置７０を有し、平面度調整装置７０は、４点の基準のうち、幅方向一方側に位置する２点Ａ，Ｂ及び幅方向他方側に位置する１点Ｃの計３点が固定とされ、幅方向他方側に位置する残りの１点Ｄが位置調整可能とされている。【選択図】図３
2013159089.tif 000002
【特許請求の範囲】
【請求項１】
記録ヘッドの印字領域において記録媒体を支持する支持部材と、
前記支持部材上に前記記録媒体を搬送する搬送装置と、
前記支持部材に対して前記記録媒体の搬送方向と直交する幅方向一方側に配置され、前記記録ヘッドをメンテナンスするメンテナンスユニットと、を有する記録装置であって、
前記支持部材は、本体フレームに支持されており、
前記本体フレームに支持される前記支持部材の平面度を４点の基準で調整する平面度調整装置を有し、
前記平面度調整装置は、前記４点の基準のうち、前記幅方向一方側に位置する２点及び前記幅方向他方側に位置する１点の計３点が固定とされ、前記幅方向他方側に位置する残りの１点が位置調整可能とされている、ことを特徴とする記録装置。
【請求項２】
前記位置調整可能な基準は、前記幅方向他方側において前記固定とされた基準よりも、前記搬送方向下流側に配置されている、ことを特徴とする請求項１に記載の記録装置。
【請求項３】
前記搬送装置は、基準線に沿って前記記録媒体をその端を合わせつつ搬送し、
前記基準線は、前記幅方向一方側に設定されている、ことを特徴とする請求項１または２に記載の記録装置。
【請求項４】
前記平面度調整装置は、
前記本体フレームに設けられ、前記支持部材を前記幅方向両側で支持する一対のサイドフレームと、
前記幅方向他方側に設けられた前記サイドフレームの前記本体フレームに対する傾きを調整する傾き調整部と、を有する、ことを特徴とする請求項１〜３のいずれか一項に記載の記録装置。
【請求項５】
前記傾き調整部は、前記幅方向他方側に設けられた前記サイドフレームの端を上下動させるネジ部材を有する、ことを特徴とする請求項４に記載の記録装置。
【発明の詳細な説明】
【技術分野】
【０００１】
本発明は、記録装置に関する。
【背景技術】
【０００２】
記録装置の一つとして、インクジェット式プリンターが知られている。下記特許文献１には、比較的大型の記録媒体を扱うラージフォーマットプリンター（ＬＦＰ）が開示されている。このインクジェット式プリンターは、印字領域において記録媒体を支持するプラテン（支持部材）と、プラテン上に記録媒体を搬送する搬送装置と、を備え、搬送方向と直交する幅方向にインクジェットヘッドを走査して画像や文字等を形成する構成となっている。
【０００３】
通常、このようなインクジェット式プリンターには、インクジェットヘッドの良好な噴射状態を維持又は回復させるメンテナンスユニットが設けられている。メンテナンスユニットは、例えば、ノズル面をキャッピングするキャップ部材や、ノズル面をワイピングするワイパー部材等を備えている。メンテナンスユニットは、プラテンの幅方向一方側のいわゆるインクジェットヘッドのホームポジションに配置される。
【０００４】
インクジェットヘッドやメンテナンスユニット等の部品は、印字領域において記録媒体を支持するプラテンを基準として取り付けが行われる。このため、本体フレームに対するプラテンの取り付け精度が重要になる。本体フレームは、取り付け部品のベースとなるものであり、所定の平面度を有する。従来、この本体フレームは、精度を出すことができるネジ固定により組み立てられており、位置精度を必要とするプラテンは、当該本体フレームに直接乗せられて固定されていた。
【先行技術文献】
【特許文献】
【０００５】
【特許文献１】特開２０１０−１７３２５６号公報
【発明の概要】
【発明が解決しようとする課題】
【０００６】
ところで、特許文献１に記載のような大型のプリンターにおいては、本体フレームの大きさも大きくなるため、本体フレームの内部に補強リブ等を設けている。このような本体フレームの組み立てにネジ固定を用いると、大きさによっては例えば数百程度のネジ部材が必要となり、組立性が悪くなる。そこで、ネジ部材を必要としない溶接で本体フレームを組み立てることが考えられる。
しかしながら、本体フレームを溶接により組み立てると、溶接の際に与えられる熱により、ねじれやゆがみ等が発生し、プラテンの平面度を確保することが難しくなる、という問題がある。
【０００７】
本発明は、上記問題点に鑑みてなされたもので、本体フレームに変形や撓み等があったとしても支持部材の平面度を出すことができる記録装置を提供することを目的としている。
【課題を解決するための手段】
【０００８】
上記の課題を解決するために、本発明は、記録ヘッドの印字領域において記録媒体を支持する支持部材と、上記支持部材上に上記記録媒体を搬送する搬送装置と、上記支持部材に対して上記記録媒体の搬送方向と直交する幅方向一方側に配置され、上記記録ヘッドをメンテナンスするメンテナンスユニットと、を有する記録装置であって、上記支持部材は、本体フレームに支持されており、上記本体フレームに支持される上記支持部材の平面度を４点の基準で調整する平面度調整装置を有し、上記平面度調整装置は、上記４点の基準のうち、上記幅方向一方側に位置する２点及び上記幅方向他方側に位置する１点の計３点が固定とされ、上記幅方向他方側に位置する残りの１点が位置調整可能とされている、という構成を採用する。
このような構成を採用することによって、本発明では、位置調整可能な１点を固定された３点の基準で形成される面と同一平面上に位置調整することにより、本体フレームに変形や撓み等があったとしても支持部材の平面度を出すことができる。また、精度を必要とするメンテナンスユニットが取り付けられる幅方向一方側の２点を固定とし無調整の基準とすることで、他方側での位置調整に影響されることなく取り付け基準を取ることができる。
【０００９】
また、本発明においては、上記位置調整可能な基準は、上記幅方向他方側において上記固定とされた基準よりも、上記搬送方向下流側に配置されている、という構成を採用する。
このような構成を採用することによって、本発明では、位置調整のポイントを幅方向他方側の下流に配置することで作業者のアクセスを容易にし、また、上流に記録媒体を送り出す搬送ローラー等がある場合、その部材への位置調整による影響を小さくすることができる。
【００１０】
また、本発明においては、上記搬送装置は、基準線に沿って上記記録媒体をその端を合わせつつ搬送し、上記基準線は、上記幅方向一方側に設定されている、という構成を採用する。
このような構成を採用することによって、本発明では、固定とされ無調整の基準の幅方向一方側に記録媒体の搬送の基準線が設定されるため、他方側での位置調整に影響されることなく搬送基準を取ることができる。
【００１１】
また、本発明においては、上記平面度調整装置は、上記本体フレームに設けられ、上記支持部材を上記幅方向両側で支持する一対のサイドフレームと、上記幅方向他方側に設けられた上記サイドフレームの上記本体フレームに対する傾きを調整する傾き調整部と、を有する、という構成を採用する。
このような構成を採用することによって、本発明では、支持部材を幅方向両側で支持する一対のサイドフレームのうち幅方向他方側の一方の傾きを調整することにより、支持部材の平面度を出すことができる。
【００１２】
また、本発明においては、上記傾き調整部は、上記幅方向他方側に設けられた上記サイドフレームの端を上下動させるネジ部材を有する、という構成を採用する。
このような構成を採用することによって、本発明では、ネジ部材でサイドフレームの端を上下動させることで、サイドフレームの傾きを精度良く調整することができる。
【図面の簡単な説明】
【００１３】
【図１】本発明の実施形態におけるプリンターを示す構成図である。
【図２】本発明の実施形態におけるプリンターの要部を示す斜視図である。
【図３】本発明の実施形態における平面度調整装置を示す斜視図である。
【図４】本発明の実施形態における幅方向他方側のサイドフレームを示す斜視図である。
【図５】本発明の実施形態における幅方向他方側のサイドフレームを示す側面図である。
【図６】本発明の実施形態における傾き調整部を示す拡大断面図である。
【図７】図５における矢視Ｋ−Ｋ断面図である。
【図８】本発明の実施形態における平面度調整装置による作用を説明するための図である。
【発明を実施するための形態】
【００１４】
以下、本発明に係る記録装置の各実施形態について、図を参照して説明する。なお、以下の説明に用いる各図面では、各部材を認識可能な大きさとするため、各部材の縮尺を適宜変更している。また、以下の説明においては、ＸＹＺ直交座標系を設定し、このＸＹＺ直交座標系を参照しつつ各部材の位置関係について説明することがある。
本実施形態では、本発明に係る記録装置として、インクジェット式プリンター（以下、単にプリンターと称する）を例示する。
【００１５】
図１は、本発明の実施形態におけるプリンター１を示す構成図である。
プリンター１は、比較的大型のメディア（記録媒体）Ｍを扱うラージフォーマットプリンター（ＬＦＰ）である。本実施形態のメディアＭは、例えば６４インチ（Inch）程度の幅を有する塩化ビニル系フィルムから形成されている。
【００１６】
図１に示すように、プリンター１は、ロール・ツー・ロール方式でメディアＭを搬送する搬送部（搬送装置）２と、メディアＭに対してインク（流体）を噴射して画像や文字等を記録する記録部３と、メディアＭを加熱する加熱部４とを有する。これら各構成部は、脚部フレーム５に支持されている。
【００１７】
搬送部２は、ロール状のメディアＭを送り出すロール２１と、送り出されたメディアＭを巻き取るロール２２とを有する。搬送部２は、ロール２１，２２間の搬送経路においてメディアＭを搬送する搬送ローラー２３を有する。搬送ローラー２３は、駆動ローラー２３ａと従動ローラー２３ｂを有する。また、搬送部２は、メディアＭに張力を付与するテンションローラー２５を有する。テンションローラー２５は、揺動フレーム２６に支持されている。
【００１８】
記録部３は、搬送されるメディアＭに対してインクを噴射するインクジェットヘッド（記録ヘッド）３１と、インクジェットヘッド３１を搭載して幅方向（図１において紙面垂直方向）に往復移動自在なキャリッジ３２とを有する。インクジェットヘッド３１は、複数のノズル（不図示）を備え、メディアＭとの関係で選択されて浸透乾燥や蒸発乾燥を必要とするインクを噴射可能な構成となっている。
【００１９】
加熱部４は、メディアＭを加熱することによりインクをメディアＭに速やかに乾燥定着させ、滲みやぼやけを防止して、画質を高める構成となっている。
加熱部４は、記録部３が設けられた位置よりも搬送方向上流側でメディアＭを予熱するプレヒーター部４１と、記録部３と対向する位置でメディアＭを加熱するプラテンヒーター部４２と、記録部３が設けられた位置よりも搬送方向下流側でメディアＭを加熱するアフターヒーター部４３とを有する。
【００２０】
プレヒーター部４１は、ヒーター４１ａを有し、メディアＭを常温から目標温度（プラテンヒーター部４２における温度）に向けて徐々に昇温させることによって、インクの着弾時からの乾燥を速やかに促す構成となっている。
プラテンヒーター部４２は、ヒーター４２ａと赤外線ヒーター５３とを有し、目標温度を維持した状態でインクの着弾をメディアＭに受けさせて、インクの着弾時からの乾燥を速やかに促す構成となっている。
アフターヒーター部４３は、ヒーター４３ａを有し、メディアＭを目標温度よりも高い温度まで昇温させ、メディアＭに着弾したインクのうち未だ乾燥していないものを速やかに乾燥させ、少なくともロール２２で巻き取る前に、着弾したインクをメディアＭに完全に乾燥定着させる構成となっている。
【００２１】
図２は、本発明の実施形態におけるプリンター１の要部を示す斜視図である。
図２に示すように、インクジェットヘッド３１を搭載したキャリッジ３２と対向する位置には、搬送されるメディアＭを支持する支持面５０を備える支持部材（プラテン）５１が設けられている。支持部材５１は、インクジェットヘッド３１の印字領域においてメディアＭを支持する。支持部材５１は、金属製の平板であり、メディアＭの搬送方向（Ｘ軸方向）と直交する幅方向（Ｙ軸方向）に延在して設けられている。支持部材５１は、メディアＭを幅方向に亘って支持するために、メディアＭの幅よりも大きな幅、より詳しくは、６４インチ幅よりも大きな幅を有する。
【００２２】
インクジェットヘッド３１を搭載したキャリッジ３２は、ガイド軸３３，３４に係合し、ガイド軸３３，３４に沿って、メディアＭの搬送方向と直交する幅方向（Ｙ軸方向）に移動可能な構成となっている。ガイド軸３３，３４は、支持部材５１よりも長く、幅方向において支持部材５１の両側に延在している。このため、インクジェットヘッド３１は、支持面５０と対向する領域以外の領域まで移動することが可能な構成となっている。
【００２３】
インクジェットヘッド３１の移動経路上には、インクジェットヘッド３１をメンテナンスするメンテナンスユニット６０が設けられている。メンテナンスユニット６０は、支持部材５１に対して幅方向一方側（−Ｙ側：ホームポジション側）に配置されている。本実施形態のメンテナンスユニット６０は、フラッシングボックス６１と、キャップ部材（接触部材）６２と、を有する。フラッシングボックス６１は、メニスカスを整えるためにインクジェットヘッド３１から予備噴射等されたインクを受けるものである。
【００２４】
キャップ部材６２は、待機中のインクジェットヘッド３１のノズルの保湿や、ノズルからのインク吸引によるクリーニング等を行うものである。キャップ部材６２は、インクジェットヘッド３１に対向する側が開口しており、開口縁部にはシールとなるゴム部材が設けられている。キャップ部材６２は、インクジェットヘッド３１のノズルを囲うようにノズル面３１ａ（図１参照）と接触可能な構成となっている。また、このキャップ部材６２は、不図示の昇降装置によって、高さ方向（Ｚ軸方向）に移動可能な構成となっている。
【００２５】
支持面５０には、メディアＭの搬送の幅方向の基準となる基準線Ｌが設定されている。基準線Ｌは、インクジェットヘッド３１のホームポジション側である幅方向一方側（−Ｙ側）に設定されている。本実施形態の搬送部２は、幅の異なる複数種のメディアＭをセット可能となっており、当該複数種のメディアＭの搬送基準となる基準線Ｌを幅方向一方側に設定し、当該基準線Ｌに沿ってメディアＭをその端を合わせつつ搬送する構成となっている。なお、搬送経路には、メディアＭが基準線Ｌを越えて幅方向一方側に行かないように規制する不図示のガイドが設けられている。
【００２６】
上記構成の支持部材５１は、本体フレーム１００に支持されている。本体フレーム１００は、取り付け部品のベースとなるものであり、幅方向（Ｙ軸方向）に延在して設けられている。本体フレーム１００は、図１に示すように、断面略箱形状を有し、内部には自重による撓み等を防止するために複数の補強リブ１０１が設けられている。本体フレーム１００は、レーザービーム溶接により組み立てられている。本実施形態の本体フレーム１００は、例えば数百箇所のレーザービーム溶接により組み立てられているが、スポット溶接やその他の溶接を採用することも可能である。
【００２７】
本体フレーム１００は、溶接の際の熱収縮等による、ねじりやゆがみがある。このような精度の出ない本体フレーム１００の平面に対し、平面度を必要とする支持部材５１を取り付けるために、本実施形態のプリンター１は、平面度調整装置７０を有する。平面度調整装置７０は、本体フレーム１００に支持される支持部材５１の平面度を４点の基準（後述する図３参照：基準Ａ，基準Ｂ，基準Ｃ，基準Ｄ）で調整する構成となっている。
【００２８】
図３は、本発明の実施形態における平面度調整装置７０を示す斜視図である。図４は、本発明の実施形態における幅方向他方側のサイドフレーム７１Ｂを示す斜視図である。図５は、本発明の実施形態における幅方向他方側のサイドフレーム７１Ｂを示す側面図である。図６は、本発明の実施形態における傾き調整部を示す拡大断面図である。図７は、図５における矢視Ｋ−Ｋ断面図である。
【００２９】
平面度調整装置７０は、図３に示すように、本体フレーム１００に設けられ、支持部材５１を幅方向両側で支持する一対のサイドフレーム７１Ａ，７１Ｂを有する。一対のサイドフレーム７１Ａ，７１Ｂは、本体フレーム１００に対する固定部７２の曲げの向きが異なるだけで、同一形状の板部材から形成されている。一対のサイドフレーム７１Ａ，７１Ｂは、幅方向（Ｙ軸方向）において間隔をあけて平行に配置されている。また、一対のサイドフレーム７１Ａ，７１Ｂは、搬送方向（Ｘ軸方向）における位置（座標）が一致するように配置されている。
【００３０】
一対のサイドフレーム７１Ａ，７１Ｂは、本体フレーム１００に挿し込む挿込部７３（図５参照）を有する。この挿込部７３は、複数設けられており、一対のサイドフレーム７１Ａ，７１Ｂの平面方向（Ｘ−Ｙ平面に沿う方向）の移動を規制する配置で設けられている。平面度調整装置７０は、幅方向他方側に設けられたサイドフレーム７１Ｂの本体フレーム１００に対する傾きを調整する傾き調整部７４を有する。対して、幅方向一方側に設けられたサイドフレーム７１Ａには、傾き調整部７４が設けられていない。
【００３１】
傾き調整部７４は、図４及び図５に示すように、調整ボルト（ネジ部材）７５を有する。調整ボルト７５は、サイドフレーム７１Ｂの搬送方向下流側（＋Ｘ側）の端７１Ｂ１の下部を頭部で支持する構成となっている。サイドフレーム７１Ｂの下部は、調整ボルト７５に応じて切り欠かれており、図６に示すように、調整ボルト７５に頭部に当接する凸部７６が形成されている。この調整ボルト７５は、本体フレーム１００に設けられたナット部１０２に螺合しており、ネジ回しにより上下動が可能な構成となっている。
【００３２】
調整ボルト７５の軸部には、固定ナット７７が螺合している。固定ナット７７は、調整ボルト７５による調整後に、調整した位置から調整ボルト７５が回転しないよう固定するものである。サイドフレーム７１Ｂの搬送方向下流側（＋Ｘ側）の固定部７２には、図７に示すように、固定ボルト７８が挿通される。これにより、固定部７２は、本体フレーム１００に対して固定される。固定ボルト７８は、調整ボルト７５の調整後であって固定ナット７７による締め付けを行った後に、固定部７２に取り付けられる。
【００３３】
固定ボルト７８は、調整時に自由端となる端７１Ｂ１を、調整後に押さえつけることで、端７１Ｂ１（凸部７６）の調整ボルト７５に対する浮きを規制する。なお、固定部７２は、図７に示すように、本体フレーム１００に対して接地せずに浮くようにして形成されている。これにより、サイドフレーム７１Ｂの調整が上方だけでなく下方にも可能となる。対して、その他の３つの固定部７２（図３参照）は、本体フレーム１００に対して接地されており、調整ができないようにされている。
【００３４】
図３に戻り、平面度調整装置７０は、支持部材５１の平面度を調整する４点の基準のうち、幅方向一方側に位置する２点（Ａ，Ｂ）及び幅方向他方側に位置する１点（Ｃ）の計３点が固定とされ、幅方向他方側に位置する残りの１点（Ｄ）が調整ボルト７５によって位置調整可能とされている。ここで、支持部材５１の平面度を調整する基準は、一対のサイドフレーム７１Ａ，７１Ｂのそれぞれに２点ずつ、搬送方向において上流側（−Ｘ側）と下流側（−Ｙ側）に設定されている。
【００３５】
図５に示すように、サイドフレーム７１Ｂ（サイドフレーム７１Ａも同様）には、搬送ローラー２３の駆動ローラー２３ａが配置される円弧状の溝部７９が形成されている。溝部７９は、搬送方向上流側に配置されている。本実施形態の基準Ｃ（基準Ｂも同様）は、溝部７９の駆動ローラー２３ａの中心軸が配置される位置に設定されている。また、サイドフレーム７１Ｂ（サイドフレーム７１Ａも同様）には、搬送方向下流側において、駆動ローラー２３ａの中心軸の高さを基準に切り欠いた切り欠き部８０が形成されている。本実施形態の基準Ｄ（基準Ａも同様）は、切り欠き部８０の形成位置に設定されている。
【００３６】
続いて、上記構成の平面度調整装置７０を用いた本体フレーム１００に対する支持部材５１の平面度の調整について図８を参照して説明する。
図８は、本発明の実施形態における平面度調整装置７０による作用を説明するための図である。
【００３７】
プリンター１の本体フレーム１００を溶接により構成すると、与えられる熱により、ねじれ等が発生し平面度を確保することが難しい。この溶接により組み立てられた本体フレーム１００の平面度は、支持部材５１の必要取付精度に比べて大きくなる。このような精度の出ない本体フレーム１００の平面に対し、印字領域においてメディアＭを支持する支持部材５１を取り付ける場合には、平面度調整装置７０によって４点の基準で平面度を調整した上で支持部材５１を取り付ける。
【００３８】
支持部材５１の平面度の調整は、図８に示すように、サイドフレーム７１Ａ上に設定された幅方向一方側（−Ｙ側）に位置する２点（Ａ，Ｂ）及びサイドフレーム７１Ｂ上に設定された幅方向他方側（＋Ｙ側）に位置する１点（Ｃ）の計３点を固定とし、サイドフレーム７１Ｂ上に設定された幅方向他方側（＋Ｙ側）に位置する残りの１点（Ｄ）を位置調整することで行う。一対のサイドフレーム７１Ａ，７１Ｂ上の３点の基準（Ａ，Ｂ，Ｃ）を取ると平面Ｐが形成される。なお、平面Ｐは、水平面と一致せずとも良い。
【００３９】
平面度調整装置７０は、幅方向他方側に設けられたサイドフレーム７１Ｂの本体フレーム１００に対する傾きを調整する傾き調整部７４を有する。傾き調整部７４は、サイドフレーム７１Ｂの傾きを変位させることで基準Ｄの位置を調整する。具体的に傾き調整部７４は、調整ボルト７５を有する。調整ボルト７５は、サイドフレーム７１Ｂの搬送方向下流側（＋Ｘ側）の端７１Ｂ１の下部に配置されている。調整時には、固定ボルト７８は取り付けられておらず、端７１Ｂ１は自由端となっている。
【００４０】
そうすると、調整ボルト７５をネジ回しによって、搬送方向上流側（−Ｘ側）の固定部７２を支点として端７１Ｂ１を上下動させて、サイドフレーム７１Ｂの傾きを調整することができる。当該調整は、ネジにより行われるため、離散的でなく連続的な調整が可能であり、サイドフレーム７１Ｂの傾きを精度良く調整することができる。この調整ボルト７５によって、端７１Ｂ１上に設定された基準Ｄを図８に示す３点の基準（Ａ，Ｂ，Ｃ）によって形成される平面Ｐと同一平面上に位置調整したら、固定ナット７７で調整ボルト７５を固定し、搬送方向下流側の固定部７２に固定ボルト７８を挿通し固定する。
【００４１】
以上の調整によって、４点の基準（Ａ，Ｂ，Ｃ，Ｄ）で一平面を形成することができ、一対のサイドフレーム７１Ａ，７１Ｂ上に、支持部材５１を取り付けるためのねじり等のない平らな受け面を形成することができる。このため、本体フレーム１００に変形や撓み等があったとしても支持部材５１の平面度を出すことができる。支持部材５１を取り付けたら、次は、支持部材５１を基準にしてガイド軸３３，３４を平行に取り付ける。その次は、ガイド軸３３，３４を基準にしてメンテナンスユニット６０を取り付けることとなる。
【００４２】
ここで、平面度調整装置７０は、幅方向他方側（＋Ｙ側）のサイドフレーム７１Ｂで基準Ｄの位置調整を行うため、反対の幅方向一方側（−Ｙ側）のサイドフレーム７１Ａについては固定部７２の２点を固定とし無調整の基準とすることができる。このように、他の精度部品（メンテナンスユニット６０等）を取り付ける側（ホームポジション側）を無調整の基準点とすることで、調整する点の調整精度に影響されること無く基準を取ることができる。
【００４３】
したがって、図２に示すように、メンテナンスユニット６０が取り付けられる幅方向一方側（−Ｙ側）については、他方側（＋Ｙ側）での位置調整の影響が小さくなるため、取り付け精度を出すことができる。このため、例えば、取り付け精度に影響されるノズル面３１ａに対するキャップ部材６２のシール不良等を防止して、メンテナンスユニット６０のメンテナンス処理を適切に行わせることができる。
また、本実施形態においては、メディアＭの搬送のための基準線Ｌが無調整の基準の幅方向一方側に設定されている。このため、幅方向他方側での位置調整に影響されることなく搬送基準を取ることができるため、メディアＭの搬送精度を向上させることができる。
【００４４】
また、本実施形態の調整可能な基準Ｄは、図３に示すように、幅方向他方側（＋Ｙ側）において、固定とされた基準Ｃよりも搬送方向下流側（＋Ｘ側）に配置されている。このように、位置調整のポイントを幅方向他方側の下流に配置することで作業者のアクセスを容易にし、取り付け後からでも調整ボルト７５の調整を行い、サイドフレーム７１Ｂの高さを直接測定、調整することができる。また、搬送方向上流側（−Ｘ側）には、精度を必要とする搬送ローラー２３が取り付けられているため、位置調整のポイントを搬送ローラー２３から離すことができる。このため、搬送ローラー２３への位置調整による影響を小さくすることができる。
【００４５】
このように、上述した本実施形態によれば、インクジェットヘッド３１の印字領域においてメディアＭを支持する支持部材５１と、支持部材５１上にメディアＭを搬送する搬送部２と、支持部材５１に対してメディアＭの搬送方向と直交する幅方向一方側に配置され、インクジェットヘッド３１をメンテナンスするメンテナンスユニット６０と、を有するプリンター１であって、支持部材５１は、本体フレーム１００に支持されており、本体フレーム１００に支持される支持部材５１の平面度を４点の基準で調整する平面度調整装置７０を有し、平面度調整装置７０は、４点の基準のうち、幅方向一方側に位置する２点（Ａ，Ｂ）及び幅方向他方側に位置する１点（Ｃ）の計３点が固定とされ、幅方向他方側に位置する残りの１点（Ｄ）が位置調整可能とされている、という構成を採用することによって、本体フレーム１００に変形や撓み等があったとしても支持部材５１の平面度を出すことができるプリンター１を提供することができる。
【００４６】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４７】
例えば、上記実施形態においては、溶接により平面度が出ない本体フレーム１００に対して本発明を適用したが、この構成に限定されず、例えば、自重による撓みにより平面度が出ない本体フレーム１００に対しても本発明を適用できる。
【００４８】
また、上記実施形態においては、記録装置がプリンター１である場合を例にして説明したが、プリンターに限られず、複写機及びファクシミリ等の装置であってもよい。
【００４９】
また、記録装置としては、インク以外の他の流体を噴射したり吐出したりする記録装置を採用してもよい。本発明は、例えば微小量の液滴を吐出させる記録ヘッド等を備える各種の記録装置に流用可能である。なお、液滴とは、上記記録装置から吐出される液体の状態をいい、粒状、涙状、糸状に尾を引くものも含むものとする。また、ここでいう液体とは、記録装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクが挙げられる。ここで、インクとは一般的な水性インク及び油性インク並びにジェルインク、ホットメルトインク等の各種液体組成物を包含するものとする。また、記録媒体としては、塩化ビニル系フィルム等のプラスチックフィルム以外に、用紙、機能紙、基板や金属板などを包含するものとする。
【符号の説明】
【００５０】
１…プリンター（記録装置）、２…搬送部（搬送装置）、３１…インクジェットヘッド（記録ヘッド）、５１…支持部材、６０…メンテナンスユニット、７０…平面度調整装置、７１Ａ，７１Ｂ…サイドフレーム、７１Ｂ１…端、７４…傾き調整部、７５…調整ネジ（ネジ部材）、１００…本体フレーム、Ａ，Ｂ，Ｃ，Ｄ…４点の基準、Ｌ…基準線、Ｍ…メディア（記録媒体）、Ｐ…平面
【図１】
2013159089.tif 000003
【図２】
2013159089.tif 000004
【図３】
2013159089.tif 000005
【図４】
2013159089.tif 000006
【図５】
2013159089.tif 000007
【図６】
2013159089.tif 000008
【図７】
2013159089.tif 000009
【図８】
2013159089.tif 000010